(57)【要約】  写真取得部（２０１）は、携帯端末（１００）により撮影された写真が保存される記憶部から当該写真を取得する。所在取得部（２０２）は、携帯端末（１００）の所在を取得する。推定部（２０３）は、取得された写真と、取得された所在と、に基づいて、携帯端末のユーザが置かれている状況を推定する。選択部（２０４）は、推定された状況に応じた商品及び当該商品の広告を選択する。広告送信部（２０５）は、選択された広告を携帯端末に送信する。決定部（２０６）は、送信された広告に対する申込期限を、取得された所在に基づいて決定する。
2017195285.tif 000002
【特許請求の範囲】
【請求項１】
携帯端末により撮影された写真が保存される記憶部から当該写真を取得する写真取得部と、
前記携帯端末の所在を取得する所在取得部と、
前記取得された写真と、前記取得された所在と、に基づいて、前記携帯端末のユーザが置かれている状況を推定する推定部と、
前記推定された状況に応じた商品及び当該商品の広告を選択する選択部と、
前記選択された広告を前記携帯端末に送信する広告送信部と、
前記送信された広告に対する申込期限を、前記取得された所在に基づいて決定する決定部と、
を備えることを特徴とする提案サーバ。
【請求項２】
前記記憶部をさらに備える
ことを特徴とする請求項１に記載の提案サーバ。
【請求項３】
前記記憶部は、前記携帯端末及び前記提案サーバと通信可能な写真サーバが備える
ことを特徴とする請求項１に記載の提案サーバ。
【請求項４】
前記記憶部は、前記携帯端末が備える
ことを特徴とする請求項１に記載の提案サーバ。
【請求項５】
請求項１に記載の提案サーバと、前記携帯端末と、から構成される提案システムであって、
前記携帯端末は、
前記写真を撮影する撮影部と、
前記撮影された写真を、前記記憶部に保存する保存部と、
前記広告を、前記提案サーバから受信する広告受信部と、
前記受信した広告を前記ユーザに提示する提示部と、
を備えることを特徴とする提案システム。
【請求項６】
前記携帯端末は、
前記携帯端末の所在を特定する所在特定部を備え、
前記保存部は、前記特定された所在を前記撮影された写真に埋め込んで保存し、
前記所在取得部は、前記写真に埋め込まれた所在を取得する
ことを特徴とする請求項５に記載の提案システム。
【請求項７】
前記携帯端末は、
前記携帯端末の所在を特定する所在特定部と、
前記特定された所在を前記提案サーバに送信する所在送信部と、
を備え、
前記所在取得部は、前記送信された所在を取得する
ことを特徴とする請求項５に記載の提案システム。
【請求項８】
前記写真取得部は、前記取得された所在と、現在日時とに基づいて、前記記憶部より取得する写真を絞り込む
ことを特徴とする請求項７に記載の提案システム。
【請求項９】
前記所在送信部は、前記広告を受信した時点の所在を、前記提案サーバに送信し、
前記推定部は、前記広告を受信した時点の所在に基づいて、前記広告の商品の条件が変更になる位置を推定し、
前記決定部は、前記推定された位置に移動するまでの距離に基づき、前記申込期限を決定する
ことを特徴とする請求項７に記載の提案システム。
【請求項１０】
前記商品は、移動を伴うことを前提とする保険であり、
前記携帯端末は、
契約サーバとの間で保険契約の申込処理及び保険情報の管理を行う契約部、
をさらに備え、
前記契約部が、前記申込期限までに、前記提示された広告の商品に対し、保険契約の申込の指示を受け付けると、前記撮影部は、前記保険の対象となる物体の撮影を求め、
前記保存部は、前記保険の対象となる物体が撮影された時点の所在が埋め込まれた前記物体の写真を、前記契約サーバに保存し、
前記所在特定部が、前記埋め込まれた所在から所定の距離以上離れたことを検知すると、前記契約部は、前記保険契約の有効期間を開始する
ことを特徴とする請求項６に記載の提案システム。
【請求項１１】
前記商品は、登山保険であり、
前記撮影部は、これから登山をする前記ユーザ又は登山届が含まれる写真を撮影させる
ことを特徴とする請求項１０に記載の提案システム。
【請求項１２】
前記商品は、自動車保険であり、
前記撮影部は、保険の対象となる自動車の走行距離計を撮影させる
ことを特徴とする請求項１０に記載の提案システム。
【請求項１３】
前記商品は、運送時の物損保険であって、
前記撮影部は、保険の対象となる運送物を撮影させる
ことを特徴とする請求項１０に記載の提案システム。
【請求項１４】
提案サーバが実行する提案方法であって、
前記提案サーバが、携帯端末により撮影された写真が保存される記憶部から当該写真を取得する写真取得工程と、
前記提案サーバが、前記携帯端末の所在を取得する所在取得工程と、
前記提案サーバが、前記取得された写真と、前記取得された所在と、に基づいて、前記携帯端末のユーザが置かれている状況を推定する推定工程と、
前記提案サーバが、前記推定された状況に応じた商品及び当該商品の広告を選択する選択工程と、
前記提案サーバが、前記選択された広告を前記携帯端末に送信する広告送信工程と、
前記提案サーバが、前記送信された広告に対する申込期限を、前記取得された所在に基づいて決定する決定工程と、
を備えることを特徴とする提案方法。
【請求項１５】
コンピュータを、携帯端末と通信可能な提案サーバとして機能させるプログラムであって、
前記プログラムは、前記コンピュータを、
前記携帯端末により撮影された写真が保存される記憶部から当該写真を取得する写真取得部、
前記携帯端末の所在を取得する所在取得部、
前記取得された写真と、前記取得された所在と、に基づいて、前記携帯端末のユーザが置かれている状況を推定する推定部、
前記推定された状況に応じた商品及び当該商品の広告を選択する選択部、
前記選択された広告を前記携帯端末に送信する広告送信部、
前記送信された広告に対する申込期限を、前記取得された所在に基づいて決定する決定部、
として機能させることを特徴とするプログラム。
【請求項１６】
コンピュータを、携帯端末と通信可能な提案サーバとして機能させるプログラムであって、
前記プログラムは、前記コンピュータを、
前記携帯端末により撮影された写真が保存される記憶部から当該写真を取得する写真取得部、
前記携帯端末の所在を取得する所在取得部、
前記取得された写真と、前記取得された所在と、に基づいて、前記携帯端末のユーザが置かれている状況を推定する推定部、
前記推定された状況に応じた商品及び当該商品の広告を選択する選択部、
前記選択された広告を前記携帯端末に送信する広告送信部、
前記送信された広告に対する申込期限を、前記取得された所在に基づいて決定する決定部、
として機能させることを特徴とするプログラムを記録した非一時的なコンピュータ読取可能な情報記録媒体。
【発明の詳細な説明】
【技術分野】
【０００１】
本発明は、提案サーバ、提案システム、提案方法、プログラム、及び、非一時的なコンピュータ読取可能な情報記録媒体に関し、特に、ユーザの状況に応じた商品の提案に関するものである。
【背景技術】
【０００２】
ユーザの位置情報を取得し、ユーザの位置に応じた情報を提供する位置情報サービスが広く知られている。例えば、歩行者向けのナビゲーションサービスや、近辺のショップ情報及び天気情報などを提供するサービスなどがある。また、例えば、特許文献１には、ユーザのプロフィール及び位置に基づいて、広告を表示する技術が開示されている。
【先行技術文献】
【特許文献】
【０００３】
【特許文献１】特開２０１４−２４１６００号公報
【発明の概要】
【発明が解決しようとする課題】
【０００４】
しかしながら、上記のような位置情報サービスでは、ユーザの現在位置からの距離に基づき提供する情報を選択しており、ユーザが何をしているかという情報は加味されていない。これに対し、ユーザが置かれている状況に応じた商品を提案し、より適確な情報を提供したいという要望がある。【０００５】
本発明は、上記のような課題を解決するもので、ユーザが置かれている状況に応じた商品を提案するのに好適な提案サーバ、提案システム、提案方法、プログラム、及び、非一時的なコンピュータ読取可能な情報記録媒体を提供することを目的とする。
【課題を解決するための手段】
【０００６】
本発明の第１の観点に係る提案サーバは、
携帯端末により撮影された写真が保存される記憶部から当該写真を取得する写真取得部と、
前記携帯端末の所在を取得する所在取得部と、
前記取得された写真と、前記取得された所在と、に基づいて、前記携帯端末のユーザが置かれている状況を推定する推定部と、
前記推定された状況に応じた商品及び当該商品の広告を選択する選択部と、
前記選択された広告を前記携帯端末に送信する広告送信部と、
前記送信された広告に対する申込期限を、前記取得された所在に基づいて決定する決定部と、
を備えることを特徴とする。【０００７】
また、上記観点に係る提案サーバにおいて、
前記記憶部をさらに備える
ことを特徴とする。【０００８】
また、上記観点に係る提案サーバに関し、
前記記憶部は、前記携帯端末及び前記提案サーバと通信可能な写真サーバが備える
ことを特徴とする。【０００９】
また、上記観点に係る提案サーバに関し、
前記記憶部は、前記携帯端末が備える
ことを特徴とする。【００１０】
本発明の第２の観点に係る提案システムは、
上記に記載の提案サーバと、前記携帯端末と、から構成される提案システムであって、
前記携帯端末は、
前記写真を撮影する撮影部と、
前記撮影された写真を、前記記憶部に保存する保存部と、
前記広告を、前記提案サーバから受信する広告受信部と、
前記受信した広告を前記ユーザに提示する提示部と、
を備えることを特徴とする。【００１１】
また、上記観点に係る提案システムにおいて、
前記携帯端末は、
前記携帯端末の所在を特定する所在特定部を備え、
前記保存部は、前記特定された所在を前記撮影された写真に埋め込んで保存し、
前記所在取得部は、前記写真に埋め込まれた所在を取得する
ことを特徴とする。【００１２】
また、上記観点に係る提案システムにおいて、
前記携帯端末は、
前記携帯端末の所在を特定する所在特定部と、
前記特定された所在を前記提案サーバに送信する所在送信部と、
を備え、
前記所在取得部は、前記送信された所在を取得する
ことを特徴とする。【００１３】
また、上記観点に係る提案システムにおいて、
前記写真取得部は、前記取得された所在と、現在日時とに基づいて、前記記憶部より取得する写真を絞り込む
ことを特徴とする。【００１４】
また、上記観点に係る提案システムにおいて、
前記所在送信部は、前記広告を受信した時点の所在を、前記提案サーバに送信し、
前記推定部は、前記広告を受信した時点の所在に基づいて、前記広告の商品の条件が変更になる位置を推定し、
前記決定部は、前記推定された位置に移動するまでの距離に基づき、前記申込期限を決定する
ことを特徴とする。【００１５】
また、上記観点に係る提案システムにおいて、
前記商品は、移動を伴うことを前提とする保険であり、
前記携帯端末は、
契約サーバとの間で保険契約の申込処理及び保険情報の管理を行う契約部、
をさらに備え、
前記契約部が、前記申込期限までに、前記提示された広告の商品に対し、保険契約の申込の指示を受け付けると、前記撮影部は、前記保険の対象となる物体の撮影を求め、
前記保存部は、前記保険の対象となる物体が撮影された時点の所在が埋め込まれた前記物体の写真を、前記契約サーバに保存し、
前記所在特定部が、前記埋め込まれた所在から所定の距離以上離れたことを検知すると、前記契約部は、前記保険契約の有効期間を開始する
ことを特徴とする。【００１６】
また、上記観点に係る提案システムにおいて、
前記商品は、登山保険であり、
前記撮影部は、これから登山をする前記ユーザ又は登山届が含まれる写真を撮影させる
ことを特徴とする。【００１７】
また、上記観点に係る提案システムにおいて、
前記商品は、自動車保険であり、
前記撮影部は、保険の対象となる自動車の走行距離計を撮影させる
ことを特徴とする。【００１８】
また、上記観点に係る提案システムにおいて、
前記商品は、運送時の物損保険であって、
前記撮影部は、保険の対象となる運送物を撮影させる
ことを特徴とする。【００１９】
本発明の第３の観点に係る提案方法は、
提案サーバが実行する提案方法であって、
前記提案サーバが、携帯端末により撮影された写真が保存される記憶部から当該写真を取得する写真取得工程と、
前記提案サーバが、前記携帯端末の所在を取得する所在取得工程と、
前記提案サーバが、前記取得された写真と、前記取得された所在と、に基づいて、前記携帯端末のユーザが置かれている状況を推定する推定工程と、
前記提案サーバが、前記推定された状況に応じた商品及び当該商品の広告を選択する選択工程と、
前記提案サーバが、前記選択された広告を前記携帯端末に送信する広告送信工程と、
前記提案サーバが、前記送信された広告に対する申込期限を、前記取得された所在に基づいて決定する決定工程と、
を備えることを特徴とする。【００２０】
本発明の第４の観点に係るプログラムは、
コンピュータを、携帯端末と通信可能な提案サーバとして機能させるプログラムであって、
前記プログラムは、前記コンピュータを、
前記携帯端末により撮影された写真が保存される記憶部から当該写真を取得する写真取得部、
前記携帯端末の所在を取得する所在取得部、
前記取得された写真と、前記取得された所在と、に基づいて、前記携帯端末のユーザが置かれている状況を推定する推定部、
前記推定された状況に応じた商品及び当該商品の広告を選択する選択部、
前記選択された広告を前記携帯端末に送信する広告送信部、
前記送信された広告に対する申込期限を、前記取得された所在に基づいて決定する決定部、
として機能させることを特徴とする。【００２１】
本発明の第５の観点に係る非一時的なコンピュータ読取可能な情報記録媒体は、
コンピュータを、携帯端末と通信可能な提案サーバとして機能させるプログラムであって、
前記プログラムは、前記コンピュータを、
前記携帯端末により撮影された写真が保存される記憶部から当該写真を取得する写真取得部、
前記携帯端末の所在を取得する所在取得部、
前記取得された写真と、前記取得された所在と、に基づいて、前記携帯端末のユーザが置かれている状況を推定する推定部、
前記推定された状況に応じた商品及び当該商品の広告を選択する選択部、
前記選択された広告を前記携帯端末に送信する広告送信部、
前記送信された広告に対する申込期限を、前記取得された所在に基づいて決定する決定部、
として機能させることを特徴とするプログラムを記録する。【００２２】
上記非一時的なコンピュータ読取可能な情報記録媒体は、コンピュータとは独立して配布・販売することができる。ここで、非一時的な（non-transitory）情報記録媒体とは、有形な（tangible）情報記録媒体をいう。非一時的な情報記録媒体は、例えば、コンパクトディスク、フレキシブルディスク、ハードディスク、光磁気ディスク、ディジタルビデオディスク、磁気テープ、半導体メモリ等である。また、一時的な（transitory）情報記録媒体とは、伝送媒体（伝搬信号）それ自体を示す。一時的な情報記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００２３】
本発明によれば、ユーザが置かれている状況に応じた商品を提案するのに好適な提案サーバ、提案システム、提案方法、プログラム、及び、非一時的なコンピュータ読取可能な情報記録媒体を提供することができる。
【図面の簡単な説明】
【００２４】
【図１】本発明の実施形態に係る提案システム、写真サーバ、及び、契約サーバの関係を示す図である。
【図２】携帯端末、提案サーバ、写真サーバ、及び、契約サーバの間で行われる通信の一例を説明するための図である。
【図３】本発明の実施形態に係る提案システムを構成する携帯端末及び提案サーバが実現される典型的な情報処理装置の概要構成を示す図である。
【図４】実施形態に係る提案システムを構成する携帯端末及び提案サーバの概要構成を示す図である。
【図５】携帯端末１００に表示される広告を説明するための図である。
【図６】携帯端末１００において、契約時に写真が要求される様子を説明するための図である。
【図７】実施形態に係る提案サーバが行う提案処理を説明するためのフローチャートである。
【発明を実施するための形態】
【００２５】
（１．全体構成）
本発明の実施形態に係る提案システム１は、図１に示すように、携帯端末１００−１、１００−２、〜１００−ｎ（ｎは１以上の自然数。以下、これらを総称して「携帯端末１００」という。）と、提案サーバ２００と、から構成される。携帯端末１００及び提案サーバ２００は、インターネット５００に接続される。この他、インターネット５００には、写真サーバ３００と、契約サーバ４００と、が接続される。
【００２６】
携帯端末１００は、提案サーバ２００より広告の提供を受ける端末である。
【００２７】
提案サーバ２００は、携帯端末１００のユーザが置かれている状況に応じた商品の広告を提供するサーバである。
【００２８】
写真サーバ３００は、携帯端末１００が撮影した写真を格納するサーバである。
【００２９】
契約サーバ４００は、携帯端末１００との間で、提案サーバ２００により提案された商品に関する契約を行うサーバである。
【００３０】
図２に、携帯端末１００、提案サーバ２００、写真サーバ３００、及び、契約サーバ４００の間で行われる通信の一例を示す。
【００３１】
携帯端末１００は、写真を撮影し（１）、撮影した写真を写真サーバ３００に保存する（２）。
【００３２】
携帯端末１００は、携帯端末１００の所在を提案サーバ２００に送信する（３）。
【００３３】
提案サーバ２００は、写真サーバ３００より、携帯端末１００が保存した写真を取得する（４）。
【００３４】
提案サーバ２００は、取得した写真と、取得した所在と、に基づいて、携帯端末１００のユーザが置かれている状況を推定し、推定した状況に応じた商品の広告を選択する（５）。
【００３５】
提案サーバ２００は、選択した広告を携帯端末１００に送信する（６）。
【００３６】
提案サーバ２００は、選択した広告に対する申込期限を決定する（７）。
【００３７】
携帯端末１００は、受信した広告に示される商品について、契約サーバ４００に対し申込手続を開始する（８）。
【００３８】
携帯端末１００は、契約に必要な写真を撮影し（９）、契約サーバ４００に撮影した写真を保存する（１０）。
【００３９】
携帯端末１００は、その他、契約に必要な情報を契約サーバ４００に送信し、契約サーバ４００から申込手続の終了の通知を受信する（１１）。
【００４０】
なお、写真に所在情報が埋め込まれている場合は、携帯端末１００から所在を送信する処理（３）は省略できる。
【００４１】
また、本実施形態に係る提案システム１は、写真サーバ３００に携帯端末１００が撮影した写真を保存しない場合にも適用できる。例えば、処理（２）において、携帯端末１００は、写真を携帯端末１００自体に保存してもよいし、提案サーバ２００に保存してもよい。その場合、処理（４）において、提案サーバ２００は、写真サーバ３００ではなく、携帯端末１００により写真が保存された携帯端末１００又は提案サーバ２００自体から写真を取得する。
【００４２】
（２．情報処理装置の概要構成）
本発明の実施形態に係る提案システム１を構成する携帯端末１００又は提案サーバ２００が実現される典型的な情報処理装置６００の概要構成について説明する。
【００４３】
情報処理装置６００は、図３に示すように、ＣＰＵ（Central Processing Unit）６０１と、ＲＯＭ（Read Only Memory）６０２と、ＲＡＭ  ６０３と、記憶装置６０４と、ＮＩＣ（Network Interface Card）６０５と、画像処理部６０６と、音声処理部６０７と、ディスプレイ６０８と、スピーカ６０９と、コントローラ６１０と、カメラ６１１と、位置測定部６１２と、を備える。
【００４４】
ＣＰＵ  ６０１は、情報処理装置６００全体の動作を制御し、各構成要素と接続され、制御信号やデータをやりとりする。
【００４５】
ＲＯＭ  ６０２には、情報処理装置６００全体の動作制御に必要なオペレーティングシステムのプログラムや各種のデータが記録される。
【００４６】
ＲＡＭ  ６０３は、データやプログラムを一時的に記憶するためのもので、記憶装置６０４から読み出したプログラムやデータ、その他、通信に必要なデータ等が保持される。
【００４７】
記憶装置６０４は、ハードディスクやフラッシュメモリ等から構成され、情報処理装置６００で処理するデータを記憶する。また、記憶装置６０４は、ＣＤ（Compact Disc）等の非一時的なコンピュータ読取可能な情報記録媒体からデータを読み出すデバイス等を備えるように構成されてもよい。
【００４８】
ＮＩＣ  ６０５は、情報処理装置６００をインターネット等のコンピュータ通信網に接続するためのものであり、ＮＩＣ  ６０５を介して他の情報処理装置等とやりとりをする。
【００４９】
画像処理部６０６は、記憶装置６０４等から読み出されたデータやカメラ６１１で撮影されたデータをＣＰＵ  ６０１や画像処理部６０６が備える画像演算プロセッサによって加工処理し、画像処理部６０６が備えるフレームメモリに記録する。フレームメモリに記録された画像情報は、所定の同期タイミングでビデオ信号に変換され、ディスプレイ６０８に出力される。
【００５０】
音声処理部６０７は、記憶装置６０４等から読み出されたデータをアナログ音声信号に変換し、スピーカ６０９から出力させる。
【００５１】
コントローラ６１０は、ユーザからの指示入力を受け付ける。
【００５２】
カメラ６１１は、ユーザの指示に従い空間等を撮影し、撮影した映像を電気信号に変換する。
【００５３】
位置測定部６１２は、ＧＰＳ（Global Positioning System）衛星から送られる信号を受信することにより、情報処理装置６００の位置を測定する。
【００５４】
なお、提案サーバ２００を構成する情報処理装置６００には、カメラ６１１及び位置測定部６１２が含まれなくてもよい。
【００５５】
以下、上記情報処理装置６００において実現される携帯端末１００及び提案サーバ２００から構成される提案システム１について、図１乃至図７を参照して説明する。各情報処理装置６００に電源が投入されると、携帯端末１００又は提案サーバ２００として機能させる各プログラムが実行され、実施形態に係る提案システム１が実現される。
【００５６】
（３．実施形態に係る提案システムの概要構成）
実施形態に係る提案システム１は、携帯端末１００と、提案サーバ２００とから構成される。
【００５７】
携帯端末１００は、図４に示すように、撮影部１０１と、保存部１０２と、広告受信部１０３と、提示部１０４と、所在特定部１０５と、所在送信部１０６と、契約部１０７と、から構成される。
【００５８】
提案サーバ２００は、図４に示すように、写真取得部２０１と、所在取得部２０２と、推定部２０３と、選択部２０４と、広告送信部２０５と、決定部２０６と、から構成される。
【００５９】
本実施形態において、ＣＰＵ  ６０１及びカメラ６１１が協働して、撮影部１０１として機能する。また、ＣＰＵ  ６０１及びＮＩＣ  ６０５が協働して、保存部１０２、広告受信部１０３、所在送信部１０６、契約部１０７、写真取得部２０１、所在取得部２０２、及び、広告送信部２０５、として機能する。また、ＣＰＵ  ６０１及び位置測定部６１２が協働して、所在特定部１０５として機能する。また、ＣＰＵ  ６０１及びディスプレイ６０８が協働して、提示部１０４として機能する。また、ＣＰＵ  ６０１が推定部２０３、選択部２０４及び決定部２０６として機能する。
【００６０】
本実施形態では、携帯端末１００において実行される保険検索・契約用のアプリを例に、各部の機能について説明する。
【００６１】
撮影部１０１は、写真を撮影する。
【００６２】
例えば、撮影部１０１は、ユーザの指示に基づき現実世界の様子を撮影する。
【００６３】
所在特定部１０５は、携帯端末１００の所在を特定する。
【００６４】
例えば、所在特定部１０５は、写真撮影時の携帯端末１００の緯度・経度を取得する。
【００６５】
保存部１０２は、撮影された写真を、記憶部に保存する。この際、保存部１０２は、特定された所在を撮影された写真に埋め込んで保存する。
【００６６】
記憶部は、写真サーバ３００、携帯端末１００又は提案サーバ２００が備えるものであり、撮影部１０１が撮影した写真を格納する。
【００６７】
本実施形態において、携帯端末１００と通信可能な写真サーバ３００が、記憶部を備えることとする。例えば、写真サーバ３００は、ＳＮＳ（Social Networking Service）のサーバであるとする。
【００６８】
例えば、保存部１０２は、撮影した写真の画像ファイルに緯度・経度を書き込み、ユーザの指示に基づきＳＮＳに、写真を投稿する。
【００６９】
なお、携帯端末１００が記憶部を備える場合は、保存部１０２は、撮影部１０１が撮影した写真を携帯端末１００が備える記憶部に保存する。
【００７０】
あるいは、提案サーバ２００が記憶部を備える場合は、保存部１０２は、撮影部１０１が撮影した写真を提案サーバ２００に送信し、提案サーバ２００に備える記憶部に送信した写真を保存させる。
【００７１】
写真取得部２０１は、写真サーバ３００の記憶部に保存された写真を取得する。
【００７２】
例えば、写真取得部２０１は、携帯端末１００においてアプリが起動されたことを検知すると、携帯端末１００のユーザを特定するための識別情報（例えば、電話番号）を取得し、ＳＮＳサイトにおいて識別情報に対応付けられた写真を取得する。
【００７３】
所在取得部２０２は、携帯端末１００の所在を取得する。
【００７４】
例えば、所在取得部２０２は、写真に埋め込まれた緯度・経度を取得する。
【００７５】
なお、携帯端末１００において、所在送信部１０６は、特定された所在を提案サーバ２００に送信するようにしてもよい。そして、所在取得部２０２は、送信された所在を取得するようにしてもよい。
【００７６】
例えば、携帯端末１００において、アプリを立ち上げると、所在特定部１０５は、携帯端末１００の緯度・経度を特定し、所在送信部１０６は、特定した緯度・経度を提案サーバ２００に送信する。そして、所在取得部２０２は、送信された緯度・経度を取得する。
【００７７】
そして、写真取得部２０１は、取得された所在と、現在日時とに基づいて、写真サーバ３００の記憶部より取得する写真を絞り込む。
【００７８】
例えば、撮影された写真に撮影時の携帯端末１００の緯度・経度が埋め込まれていない場合、所在取得部２０２が、アプリ起動時の携帯端末１００の緯度・経度を取得すると、写真取得部２０１は、取得した緯度・経度が示す場所を特定し、特定した場所が映し出されている写真であって、写真が保存された時刻が現在日時に最も近い写真を取得する。例えば、緯度・経度が富士山近辺を示している場合、写真取得部２０１は、ＳＮＳに投稿されている写真を画像解析して、山や森林が含まれる写真を特定し、さらに現在日時と投稿された日時が最も近い写真を取得する。
【００７９】
あるいは、撮影された写真に撮影時の携帯端末１００の緯度・経度が埋め込まれている場合、所在取得部２０２が、アプリ起動時の携帯端末１００の緯度・経度を取得すると、写真取得部２０１は、ＳＮＳサイトに投稿されている写真のうち、写真に埋め込まれた緯度・経度が取得した緯度・経度に近い写真であって、現在日時と投稿された日時が最も近い写真を取得する。
【００８０】
推定部２０３は、取得された写真と、取得された所在と、に基づいて、携帯端末１００のユーザが置かれている状況を推定する。
【００８１】
例えば、推定部２０３は、取得された写真に対し画像解析を行い、写真に含まれている物体を特定し、取得された緯度・経度が示す場所を特定し、写真に含まれている物体及び場所から、ユーザが置かれている状況を推定する。なお、写真取得部２０１により画像解析が既に行われている場合は、推定部２０３による画像解析は省略できる。
【００８２】
例えば、写真には山が含まれており、場所が富士山近辺を示している場合、ユーザが登山をする状況にあると推定する。また、例えば、写真には乗用車が含まれており、場所が高速道路の入り口近辺や幹線道路の近辺である場合、ユーザがドライブをする状況にあると推定する。また、例えば、写真にはトラックが含まれており、場所が高速道路の入り口近辺や幹線道路の近辺である場合、ユーザが荷物を運送する状況にあると推定する。また、例えば、写真には空港ロビーが含まれており、場所が空港である場合、ユーザが旅行をする状況であると推定する。なお、推定される状況は１つに限らず、例えば、写真に乗用車と山が含まれており、場所が富士山近くの幹線道路近辺である場合は、登山をする状況にあり、かつ、ドライブをする状況にあると推定してもよい。
【００８３】
選択部２０４は、推定された状況に応じた商品及び当該商品の広告を選択する。
【００８４】
ここで、商品は、移動を伴うことを前提とする保険であるとする。
【００８５】
例えば、選択部２０４は、外部或いは内部の記憶装置に格納されている商品リスト及び当該商品の広告リストを参照し、推定された状況に応じた商品及び当該商品の広告を選択する。例えば、推定された状況が「登山をする状況」である場合、選択部２０４は、「１日分の登山保険」の商品を選択し、当該商品に関する広告を選択する。また、例えば、推定された状況が、ドライブをする状況である場合、「１日分の自動車保険」や「物損保険」の商品を選択し、当該商品に関する広告を選択する。また、例えば、推定された状況が、荷物を運送する状況である場合、「物損保険」の商品を選択し、当該商品に関する広告を選択する。また、例えば、推定された状況が、旅行をする状況である場合、「旅行保険」の商品を選択し、当該商品に関する広告を選択する。
【００８６】
広告送信部２０５は、選択された広告を携帯端末１００に送信する。
【００８７】
例えば、取得した写真に山が含まれ、取得した緯度・経度が富士山近辺を示している場合、広告送信部２０５は、「１日分の登山保険」に関する広告を携帯端末１００に送信する。
【００８８】
決定部２０６は、送信された広告に対する申込期限を、取得された所在に基づいて決定する。
【００８９】
例えば、取得された所在が富士山近辺である場合、決定部２０６は、富士山の登山口までの移動時間（例えば、２時間）を求め、さらに、猶予期間（例えば、２時間）を加算した時間（例えば、４時間）を、広告が送信された時刻（例えば、午前６時）に加算し、午前１０時を、送信された広告を介して登山保険へ申し込むことができる申込期限とする。なお、移動時間は、平均的な歩行速度から求めてもよいし、携帯端末１００のユーザの歩行速度から求めてもよい。ユーザの歩行速度は、携帯端末１００が備える歩行履歴を利用して求めてもよい。
【００９０】
広告受信部１０３は、広告を、提案サーバ２００から受信する。
【００９１】
例えば、広告受信部１０３は、広告送信部２０５により送信された「１日分の登山保険」に関する広告を受信する。
【００９２】
提示部１０４は、受信した広告をユーザに提示する。
【００９３】
例えば、提示部１０４は、図５に示すように、受信した「１日分の登山保険」に関する広告７００を携帯端末１００において起動されているアプリ内に提示する。提示された広告を選択すると商品の申込が開始される。申込期限を過ぎると、広告を介して商品の申込ができなくなる。あるいは、提示部１０４は、申込期限が過ぎた広告を消去する。
【００９４】
なお、所在送信部１０６は、広告を受信した時点の所在を、提案サーバ２００に送信し、推定部２０３は、広告を受信した時点の所在に基づいて、広告の商品の条件が変更になる位置を推定し、決定部２０６は、推定された位置に移動するまでの距離に基づき、申込期限を決定するようにしてもよい。
【００９５】
例えば、広告受信部１０３が「１日分の登山保険」に関する広告を提案サーバ２００から受信すると、所在送信部１０６は、広告を受信した時点の緯度・経度を提案サーバ２００に送信する。
【００９６】
ここで、送信された広告の「１日分の登山保険」は登山及び下山をする場合と、下山のみをする場合とで商品の金額や補償対象が変更になるとする。広告を受信した時点の緯度・経度が富士山の登山口を示す場合、推定部２０３は、次に「１日分の登山保険」の条件が変更になる位置を富士山頂上と推定する。
【００９７】
そして、決定部２０６は、例えば、登山口から頂上までの距離の半分を移動した時点を申込期限と定める。決定部２０６は、登山口から頂上までの距離の半分を移動するのに要する時間を、平均的な登山所要時間から求める。決定部２０６は、求めた時間（例えば、４時間）を、所在取得部２０２が、所在送信部１０６から、広告を受信した時点の緯度・経度を受信した時刻（例えば、午前８時）に加算し、午前１２時を申込期限と求める。なお、推定された位置に移動するまでの距離の何処で申込期限を設定するかは、商品の提供者が適宜選択することができる。
【００９８】
契約部１０７は、契約サーバ４００との間で保険契約の申込処理及び保険情報の管理を行う。
【００９９】
契約部１０７が、申込期限までに、提示された広告の商品に対し、保険契約の申込の指示を受け付けると、撮影部１０１は、保険の対象となる物体の撮影を求める。
【０１００】
例えば、ユーザが、提示された広告７００（図５）のいずれかを選択すると、契約部１０７は、選択された広告に対応付けられた商品の契約を行う契約サーバ４００と通信を行い、保険契約の申込処理を開始する。契約部１０７が、契約サーバ４００から、保険の対象となる物体の写真の送信を求める要求を受信すると、撮影部１０１が起動される。
【０１０１】
商品が、登山保険である場合、撮影部１０１は、これから登山をするユーザ又は登山届が含まれる写真を撮影させる。
【０１０２】
例えば、撮影部１０１は、図６に示すように、登山をする山を背景にこれから登山をするユーザをガイド８０１内に含めることを求めるメッセージ８０２を表示し、ユーザに写真を撮影させる。あるいは、撮影部１０１は、登山者の氏名・住所・連絡先、登山ルート、及び入山予定・下山予定日時等が記入された登山届を撮影するよう求めるメッセージを表示し、ユーザに写真を撮影させる。
【０１０３】
また、商品が、自動車保険でありである場合、撮影部１０１は、保険の対象となる自動車の走行距離計を撮影させるようにしてもよい。
【０１０４】
また、商品が、運送時の物損保険である場合、撮影部１０１は、保険の対象となる運送物を撮影させるようにしてもよい。なお、この際、撮影部１０１は、運送物の製造番号が写真に含まれるよう、撮影させるようにしてもよい。
【０１０５】
そして、保存部１０２は、保険の対象となる物体が撮影された時点の所在が埋め込まれた物体の写真を、契約サーバ４００に保存する。
【０１０６】
例えば、商品が「１日分の登山保険」である場合、保存部１０２は、これから登山をするユーザが写された写真の画像ファイルに撮影時の緯度・経度を埋め込んで、契約サーバ４００に送信する。そして、契約部１０７は、契約サーバ４００の求めに応じ、契約に必要な情報の送受信を行い、保険契約を完了させる。
【０１０７】
所在特定部１０５が、埋め込まれた所在から所定の距離以上離れたことを検知すると、契約部１０７は、保険契約の有効期間を開始する。
【０１０８】
例えば、商品は１日分の登山保険であるとする。所在特定部１０５は、所定の周期で現在位置の緯度・経度を取得し、契約サーバ４００に送信された写真に埋め込まれた緯度・経度から、所定の距離（例えば、１００ｍ）離れたことを検知すると、契約部１０７は、契約サーバ４００に、保険の有効期間「１日」の始期を開始するよう通知する。
【０１０９】
本実施形態によれば、写真及び所在からユーザの状況を推定することにより、状況に応じた商品を提案することができる。そして、ユーザが商品を必要と思われるタイミングで当該商品の広告を提示するので、広告の訴求力を高めることができる。
【０１１０】
また、本実施形態によれば、提案サーバは、写真サーバに保存された写真を利用することにより、ユーザに提示する広告を選択することができる。
【０１１１】
また、広告への申込期限を定めることにより、事故が起きた後に保険商品への申込を行うという詐欺的行為を防止することができる。
【０１１２】
また、契約が終了した後に、ユーザが所定の距離を移動したことを契機として保険契約の有効期間を開始することにより、期間に正確に、保険を適用することができ、適用期間が短い保険商品等に有効である。
【０１１３】
（４．実施形態の提案サーバの動作）
本実施形態の提案サーバ２００の動作について説明する。提案サーバ２００は、例えば、電源が投入されると、図７に示す提案処理を開始する。
【０１１４】
写真取得部２０１は、写真サーバ３００の記憶部に保存された写真を取得する（ステップＳ１０１）。
【０１１５】
例えば、写真取得部２０１は、携帯端末１００においてアプリが起動されたことを検知すると、携帯端末１００のユーザを特定するための識別情報を取得し、ＳＮＳサイトにおいて識別情報に対応付けられた写真を取得する。
【０１１６】
所在取得部２０２は、携帯端末１００から送信された所在を取得し、取得した写真を絞り込む（ステップＳ１０２）。
【０１１７】
例えば、所在送信部１０６が、携帯端末１００の現在位置である富士山近辺の緯度・経度を提案サーバ２００に送信すると、所在取得部２０２は、当該緯度・緯度を取得する。そして、写真取得部２０１により、複数の写真が取得されているとすると、これらの写真のうち、取得した緯度・経度に近い場所であって、現地日時とＳＮＳサイトへの投稿日時が最も近い写真を取得する。
【０１１８】
推定部２０３は、取得された写真と、取得された所在と、に基づいて、携帯端末１００のユーザが置かれている状況を推定する（ステップＳ１０３）。
【０１１９】
例えば、推定部２０３は、絞り込み後に取得された写真には山が含まれており、場所が富士山近辺を示している場合、ユーザが登山をする状況にあると推定する。
【０１２０】
選択部２０４は、推定された状況に応じた商品及び当該商品の広告を選択する（ステップＳ１０４）。
【０１２１】
例えば、選択部２０４は、推定された状況が「登山をする状況」である場合、「１日分の登山保険」の商品を選択し、当該商品に関する広告を選択する。
【０１２２】
広告送信部２０５は、選択された広告を携帯端末１００に送信する（ステップＳ１０５）。
【０１２３】
例えば、広告送信部２０５は、「１日分の登山保険」に関する広告を携帯端末１００に送信する。
【０１２４】
所在取得部２０２は、携帯端末１００から、広告を受信した時点の所在を取得する（ステップＳ１０６）。
【０１２５】
例えば、所在送信部１０６が、広告受信部１０３により「１日分の登山保険」に関する広告が受信された時点の現在位置である富士山登山口を示す緯度・経度を提案サーバ２００に送信すると、所在取得部２０２は、当該緯度・経度を取得する。
【０１２６】
推定部２０３は、広告を受信した時点の所在に基づいて、広告の商品の条件が変更になる位置を推定する（ステップＳ１０７）。
【０１２７】
例えば、推定部２０３は、次に「１日分の登山保険」の条件が変更になる位置を富士山頂上と推定する。
【０１２８】
決定部２０６は、推定された位置に移動するまでの距離に基づき、申込期限を決定する（ステップＳ１０８）。そして、ステップＳ１０１に戻る。
【０１２９】
例えば、決定部２０６は、登山口から頂上までの距離の半分を移動するのに要する時間（例えば、４時間）を、広告受信時点の緯度・経度を受信した時刻（例えば、午前８時）に加算し、午前１２時を申込期限と求める。
【０１３０】
なお、提案サーバ２００の処理は上記に限らない。例えば、最初に、所在取得部２０２が、携帯端末１００から送信された所在を取得した後に、写真取得部２０１が、写真サーバ３００にアクセスして、取得した所在及び現在日時に基づいて、写真を取得するようにしてもよい。
【０１３１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１３２】
１  提案システム
１００、１００−１、１００−２〜１００−ｎ  携帯端末
１０１  撮影部
１０２  保存部
１０３  広告受信部
１０４  提示部
１０５  所在特定部
１０６  所在送信部
１０７  契約部
２００  提案サーバ
２０１  写真取得部
２０２  所在取得部
２０３  推定部
２０４  選択部
２０５  広告送信部
２０６  決定部
３００  写真サーバ
４００  契約サーバ
５００  インターネット
６００  情報処理装置
６０１  ＣＰＵ
６０２  ＲＯＭ
６０３  ＲＡＭ
６０４  記憶装置
６０５  ＮＩＣ
６０６  画像処理部
６０７  音声処理部
６０８  ディスプレイ
６０９  スピーカ
６１０  コントローラ
６１１  カメラ
６１２  位置測定部
７００  広告
８０１  ガイド
８０２  メッセージ
【図１】
2017195285.tif 000003
【図２】
2017195285.tif 000004
【図３】
2017195285.tif 000005
【図４】
2017195285.tif 000006
【図５】
2017195285.tif 000007
【図６】
2017195285.tif 000008
【図７】
2017195285.tif 000009
【国際調査報告】
2017195285.tif 000010
2017195285.tif 000011